(57)【要約】【課題】  簡単な構成により、着座する座面、またはテーブル及びトレイとして機能する操作性の良好なシート構造を提供する。【解決手段】  シートクッションの二つの座部１２ａ，１２ｂの間でシートクッション後部からシートクッション前部にわたって設けた凹陥部１３と、凹陥部１３の前端寄りの位置に配設した回転軸の周りに、凹陥部に埋設した格納位置から前方に延出する展開位置Ｂまで揺動可能に支持した揺動座部２０と、を備え、凹陥部１３の底面がトレイとして形成され、揺動座部２０の裏面がテーブル２２として形成されており、格納位置にある揺動座部を展開位置Ｂまで回転させると、トレイとテーブルとが現れる。【選択図】  図３
2006240553.tif 000002
【特許請求の範囲】
【請求項１】
シートクッションの二つの座部の間で上記シートクッション後部からシートクッション前部にわたって設けられた凹陥部と、
該凹陥部の前端寄りの位置に配設された回転軸の周りに、上記凹陥部に埋設した格納位置から前方に延出する展開位置まで揺動可能に支持された揺動座部と、を備え、
上記凹陥部の底面がトレイとして形成され、上記揺動座部の裏面がテーブルとして形成されており、
格納位置にある上記揺動座部を展開位置まで回転させると、上記トレイと上記テーブルとが現れることを特徴とする、自動車のシート構造。
【請求項２】
前記揺動座部が、その両側にて前記シートクッションに対して揺動可能に軸受されていることを特徴とする、請求項１に記載の自動車のシート構造。
【請求項３】
前記揺動座部が、その片側にて前記シートクッションに対して揺動可能に軸受されていることを特徴とする、請求項１に記載の自動車のシート構造。
【請求項４】
前記テーブルに、物を収容する収容部を備えたことを特徴とする、請求項１〜３の何れかに記載の自動車のシート構造。
【請求項５】
前記トレイに、物を収容する収容部を備えたことを特徴とする、請求項１〜４の何れかに記載の自動車のシート構造。
【発明の詳細な説明】
【技術分野】
【０００１】
本発明は、自動車のシート、例えばリヤシートのシートクッションにおいて、隣接する座部の間に設けられるシート構造に関するものである。
【背景技術】
【０００２】
一般に、自動車の例えばリヤシートにおける快適性を向上させるために、二つの座部の間のシートバック部分を前方に倒すように引き出して、所謂アームレストとして利用することが知られている。
このようなアームレストは、乗車時にリヤシートに座ったとき、着座姿勢にて片方の肘をこのアームレスト上に載せるようになっている。
【０００３】
ところで、このようなアームレストに関して、利便性を向上させるために、特許文献１には、テーブルを揺動可能に取り付けたアームレストが開示されている。また、特許文献２には、テーブルを引き出し可能に収容したアームレストが開示されている。
【特許文献１】特開平１１−３３２６９３号公報
【特許文献２】特開２００１−１７２６９号公報
【発明の開示】
【発明が解決しようとする課題】
【０００４】
ところで、上述した特許文献１によるアームレストにおいては、アームレストからテーブルを揺動させて使用位置まで移動させることにより、アームレストに隣接してテーブルを備えることができる。
また、上述した特許文献２によるアームレストにおいては、アームレストからテーブルを使用位置まで引き出すことにより、アームレストに隣接してテーブルを備えることができる。
【０００５】
そして、このようにテーブルを使用位置に持ち来たすことにより、このテーブル上に各種の飲み物等の物品を置くことが可能であると共に、場合によっては筆記等のためにテーブルを使用することも可能である。
また、テーブルを使用しない場合には、アームレスト内に収容される格納位置に移動させることにより、通常のアームレストと同様に使用することが可能であると共に、さらにアームレスト自体をシートバック内に収容することにより、二つの座部の間の空間をさらに人が座るために提供することが可能になり、例えば三人が並んで座ることができる。
【０００６】
しかしながら、このようなアームレストでは、何れもシートバック内に収容可能に構成されていることから、使用位置におけるアームレストの長さが限定されてしまう。このため、使用位置において、アームレストは、その前端がシートクッション前端に対して後方に位置することになるので、アームレストに対して上述のように取り付けられたテーブルは、何れの場合にも、アームレストの長さの影響を受けることになり、その位置がシートクッション前端より後方の領域になってしまう。
【０００７】
従って、このアームレストに隣接してシートクッションに座った人が、このテーブル上に各種物品を載置したり、テーブル上の各種物品を取り上げるような場合に、手の位置をやや後方にずらしてテーブル上の各種物品を取り扱うようになり、操作性が悪い。
また、このようなアームレストに備えられたテーブルは、アームレストを使用位置に引き出したときにのみ利用することが可能であり、アームレストを使用せずには、テーブルを利用することができなかった。
【０００８】
本発明は、以上の点に鑑み、簡単な構成により着座する座面、またはテーブル及びトレイとして機能する操作性の良好なシート構造を提供することを目的としている。
【課題を解決するための手段】
【０００９】
上記目的は、本発明によれば、シートクッションの二つの座部の間でシートクッション後部からシートクッション前部にわたって設けられた凹陥部と、凹陥部の前端寄りの位置に配設された回転軸の周りに、凹陥部に埋設した格納位置から前方に延出する展開位置まで揺動可能に支持された揺動座部と、を備え、凹陥部の底面がトレイとして形成され、揺動座部の裏面がテーブルとして形成されており、格納位置にある揺動座部を展開位置まで回転させると、トレイとテーブルとが現れることを特徴とする自動車のシート構造により、達成される。
【００１０】
本発明による自動車のシート構造は、好ましくは、揺動座部が、その両側にてシートクッションに対して揺動可能に軸受されている。
【００１１】
本発明による自動車のシート構造は、好ましくは、揺動座部が、その片側にてシートクッションに対して揺動可能に軸受されている。
【００１２】
本発明による自動車のシート構造は、好ましくは、テーブルに物品を収容する収容部を備えている。
【００１３】
本発明による自動車のシート構造は、好ましくは、トレイに物品を収容する収容部を備えている。
【発明の効果】
【００１４】
上記構成によれば、揺動座部が展開位置までほぼ１８０度揺動され前方に展開されたとき、その下面（即ち揺動後の上面）がテーブルとして利用されると共に、凹陥部がトレイとして利用されることになる。この場合、揺動座部によるテーブルは、シートクッションの前端より前方に位置することになり、シートクッションに座った人がこのテーブル上に各種物品を載置したり取り上げたりする場合に、手をやや後方にずらす必要がなく、自然な姿勢で手を延ばした状態でテーブル上の物品を取り扱うことができるので、操作性が向上する。
【００１５】
さらに、従来のシートバックに収容可能な折畳み式アームレストと併用することによって、シートクッションに座った人は、肘をアームレストに載せたままで、本発明のテーブル上にて各種物品を取り扱うことができるので、快適性がより一層向上する。
他方、本発明によるテーブル及びトレイは、従来のアームレストとは完全に別体に設けられるので、アームレストを使用しない状態においても利用することが可能となり、利用の汎用性が拡大する。
【００１６】
これに対して、上記揺動座部が格納位置にあるときには、揺動座部の上面が凹陥部の上縁を閉塞することにより、隣接するシートクッションの領域と一体化して、シートクッションとして利用される。
従って、より多くの乗車人数を希望する場合には、揺動座部を格納位置に移動させることによって、乗車人数を増大させることが可能である。
また、当該シートがシートバックを前方に倒すようにして格納する折畳み式シートである場合であっても、シートバックの前倒しによる格納の際に、揺動座部が格納位置にあるとき、その表面がシートクッションと一体化されることになるので、シートバックの格納の妨げになるようなことはなく、シートバックが確実に格納される。
【００１７】
上記揺動座部が、その両側にてシートクッションに対して揺動可能に軸受されている場合には、上記揺動座部は、より確実に枢支される。
【００１８】
上記揺動座部が、その片側にてシートクッションに対して揺動可能に軸受されている場合には、揺動座部を枢支する軸受部が、揺動座部の片側のみに配置されることになるので、揺動座部が格納位置にあるとき、その上に人が座った場合の軸受部の存在による違和感が低減される。
【００１９】
テーブル及び／又はトレイが各種小物を収容するための収容部を備えている場合には、揺動座部が展開位置にあるとき、この収容部が、例えば飲料，携帯電話等の小物収容のために役立つ。
【００２０】
このようにして、本発明によれば、シートクッションの前端付近に揺動可能に取り付けた揺動座部の裏面をテーブルとして形成しておくことにより、揺動座部を前方に展開させたとき、この揺動座部の裏面が反転してテーブルとして利用することができる。この場合、テーブルは、シートクッションより前方に位置することになるので、シートクッションに座った人が自然な姿勢でテーブル上の各種物品を取り扱うことができ、操作性が向上する。
【発明を実施するための最良の形態】
【００２１】
以下、図面に示した実施形態に基づいて本発明を詳細に説明する。
図１乃至図３は、本発明の実施形態に係る自動車のシート構造を示している。
図１において、シート構造１０は、例えば自動車のリヤシート１１のほぼ水平に配置されたシートクッション１２の二つの座部１２ａ，１２ｂの間に設けられた凹陥部１３（図２参照）と、この凹陥部１３を閉鎖し得るように揺動可能な揺動座部２０と、を含んでいる。
【００２２】
ここで、リヤシート１１は、シートクッション１２に対して、その後端から上方に延びるシートバック１４を備えていると共に、シートバック１４の上端には、各座部１２ａ，１２ｂに対応してそれぞれヘッドレスト１５を備え、さらにシートバック１４の二つの座部１２ａ，１２ｂの間に対応した領域には、公知の構成の折畳み式アームレスト１６を備えている。この折畳み式アームレスト１６は、図１においては前方に倒された使用位置で示されており、また図２においてはシートバック１４内に収容された格納位置で示されている。
【００２３】
なお、リヤシート１１は、図示の場合、折畳み式として構成されており、シートクッション１２の支持部材１２ｃ（図２参照）が前方へ倒されることにより、シートクッション１２が車室床面付近に持ち来たされ、さらにシートバック１４がシートクッション１２上に接するように前方に倒されることにより、車室床面付近で折り畳んだ状態で格納されるようになっている。
【００２４】
凹陥部１３は、図３に示すように、シートクッション１２の二つの座部１２ａ，１２ｂの間で、シートクッション後部からシートクッション前部にわたる領域にわたって配置されており、上方が開放している。なお、図３において、凹陥部１３を全体的に表すために一方の座部１２ａを点線で示している。
さらに、凹陥部１３は、その前端の両側付近に軸受部１３ａ（図３では、片側の軸受部のみ示されている）を備えている。凹陥部１３は、例えば軸受部１３ａと一体的に樹脂により成形されている。これらの軸受部１３ａは、一つの横方向に延びる回転軸１３ｂ（図２参照）により、揺動座部２０を揺動可能に支持するようになっている。
なお、軸受部１３ａは、両側のシートクッション１２の表面より上方に突出しないように形成されている。
【００２５】
また、凹陥部１３は、その底面が平坦なトレイとして形成されており、例えば乗員のバッグ等を置くことができるようになっている。なお、凹陥部１３の底面には、例えば、携帯電話等の各種小物を収容するための小物収容ボックスを備えていてもよく、また飲料等のためのカップホルダー等を備えていてもよい。
【００２６】
これに対して、揺動座部２０は、凹陥部１３を閉塞するように凹陥部１３の上端付近に配置されていると共に、前述した軸受部１３ａの回転軸１３ｂの周りに揺動可能に支持されている。これにより、揺動座部２０は、凹陥部１３に埋設した格納位置Ａから、上方に引き上げられながら、前方にほぼ１８０度反転した展開位置Ｂまで矢印Ｃで示すように揺動し得る。この展開位置Ｂにおいて、揺動座部２０は、図２に示すように、自動車のフロントシート１７付近まで延びることになる。
なお、揺動座部２０は、その一部が凹陥部１３側に備えられたストッパ部（図示せず）あるいは凹陥部１３の一部に当接することにより、図２及び図３に示す展開位置Ｂで、フロントシート１７側に突出する姿勢が保持され得るようになっている。
【００２７】
ここで、揺動座部２０は、格納位置Ａにて上側の表面が、隣接するシートクッション１２の表面と同様のクッション部２１として構成されていると共に、格納位置Ａにおける下側の裏面が、テーブル２２として構成されている。
これにより、揺動座部２０は、格納位置Ａに在るとき、隣接するシートクッション１２と一体的に、全体として一つのシートクッションを構成すると共に、展開位置Ｂに在るときには、反転して上側に位置する裏面のテーブル２２が水平に保持され、使用可能な状態となる。
【００２８】
なお、テーブル２２も、凹陥部１３のトレイと同様に、樹脂により形成されている。また、揺動座部２０は、そのテーブル２２に、同様に例えば携帯電話等の各種小物を収容するための小物収容ボックスを備えていてもよく、また飲料等のためのカップホルダー等を備えていてもよい。図示の場合には、テーブル２２は、一つの小物入れ２２ａと、二つのカップホルダー２２ｂ，２２ｃを備えるようになっている。カップホルダー２２ｂ，２２ｃを回転軸１３ｂ寄りに設けると、回転軸周辺ではクッション部２１に厚みがあるので、カップホルダー２２ｂ，２２ｃ自体を深く設定でき、より安定したカップ保持が可能となる。
【００２９】
本発明実施形態による自動車のシート構造１０は、以上のように構成されており、不使用時には、揺動座部２０が格納位置Ａに格納される。
これにより、揺動座部２０の表面のクッション部２１が、隣接する両側の座部１２ａ，１２ｂのシートクッション１２の表面と一体化して、全体が一つのシートクッションとして使用され、揺動座部２０の上にも人が座ることができる。
さらに、リヤシート１１のシートバック１４がシートクッション１２上に前倒しされて格納される場合であっても、揺動座部２０がシートクッション１２から上方に突出しないので、シートバック１４の格納が妨げられるようなことはない。
【００３０】
そして、使用の際には、揺動座部２０が格納位置Ａからまず上方に引き上げられた後前方にほぼ１８０度だけ反転した展開位置Ｂまで揺動される。これにより、揺動座部２０の裏面のテーブル２２が現れ、展開位置Ｂにてほぼ水平に保持されると共に、凹陥部１３の底面も同様に現れる。
従って、テーブル２２上の小物入れ２２ａ及びカップホルダー２２ｂ，２２ｃに各種小物や飲料を収納することができると共に、座部１２ａまたは１２ｂに座った人は、自然な姿勢で手を延ばすことにより、テーブル２２上に載置された物品、例えばこれらの各種小物や飲料を取り扱うことができるので、快適性が向上する。
【００３１】
さらに、このテーブル２２は、リヤシート１１のアームレスト１６とは別に設けられていることから、アームレスト１６を使用しない場合であっても、テーブル２２のみを利用することができる。また、リヤシート１１にアームレスト１６が設けられていない場合であっても、テーブル２２を利用することが可能である。
【００３２】
以上説明したが、本発明は発明の趣旨を逸脱しない範囲において様々な形態で実施できる。例えば、上述した実施形態においては、揺動座部２０は、両側で軸受部により枢支されているが、これに限らず、片側のみで軸受部により枢支されていてもよい。この場合、ただ一つの軸受部のみが存在することによって、揺動座部２０が格納位置に在るとき、揺動座部２０がシートクッションとして利用される場合に、揺動座部２０の上に人が座った場合の軸受部の存在による違和感が低減され得ることになる。
【００３３】
また、上述した実施形態においては、シート構造１０を自動車の折畳み式リヤシートに適用した場合について説明したが、これに限らず、固定式のリヤシートや、例えば三列シートを備える自動車において、二列目または三列目のシート、さらには所謂ベンチシートタイプのフロントシートに本発明を適用し得ることは明らかである。
【００３４】
さらに、上述した実施形態においては、リヤシート１１のシートバック１４にアームレスト１６が備えられているが、これに限らず、シードバック１４にアームレストが備えられていなくてもよい。
【図面の簡単な説明】
【００３５】
【図１】本発明の実施形態に係る自動車のシート構造を組み込んだ自動車のリヤシートの構成を示す概略斜視図である。
【図２】図１のリヤシートの概略断面図である。
【図３】図１のリヤシートの要部を示す概略斜視図である。
【符号の説明】
【００３６】
１０    シート構造
１１    リヤシート
１２    シートクッション
１２ａ，１２ｂ  座部
１２ｃ  支持部材
１３    凹陥部
１３ａ  軸受部
１３ｂ  回転軸
１４    シートバック
１５    ヘッドレスト
１６    アームレスト
２０    揺動座部
２１    クッション部
２２    テーブル
２２ａ  小物入れ
２２ｂ，２２ｃ  カップホルダー
【図１】
2006240553.tif 000003
【図２】
2006240553.tif 000004
【図３】
2006240553.tif 000005